(57)【要約】【課題】  各放電セルにおける発光効率を向上させることが出来るとともに、隣接する放電セル間における放電の干渉を有効に防止して、安定した画像の表示を行うことが出来るプラズマディスプレイパネルを提供する。【解決手段】行電極のそれぞれの透明電極が、放電ギャップを介して他方の透明電極と対向する行方向に幅広の先端部と、先端部よりも行方向に幅狭で先端部とバス電極とを連結する連結部からなり、連結部の行方向の幅が、先端部との接続部分に比して、バス電極との接続部分が狭いことを特徴とする。【選択図】  図１
2006012864.tif 000002
【特許請求の範囲】
【請求項１】
前面基板の背面側に行方向に延び列方向に並設されてそれぞれ表示ラインを形成する複数の行電極対と、前記前面基板と放電空間を介して対向する背面基板に前記列方向に延び前記行方向に並設された複数の列電極が設けられ、前記列電極と前記行電極対とが交差する位置の放電空間に単位発光領域が形成されるプラズマディスプレイパネルにおいて、
前記行電極対のそれぞれの行電極が、単位発光領域の縁部に沿って前記行方向に延びるバス電極と前記バス電極に接続されて各単位発光領域ごとに対になっている他方の前記行電極の方向に延びる透明電極を有し、前記透明電極がそれぞれ対となる前記他方の行電極の透明電極と所定幅の放電ギャップを介して対向されており、
前記行電極のそれぞれの前記透明電極が、前記放電ギャップを介して他方の前記透明電極と対向する前記行方向に幅広の先端部と、前記先端部よりも前記行方向に幅狭で前記先端部と前記バス電極とを連結する連結部からなり、
前記連結部の前記行方向の幅が、前記先端部との接続部分に比して、前記バス電極との接続部分が狭いことを特徴とするプラズマディスプレイパネル。
【請求項２】
前記透明電極が略Ｔ字形状に成形されることを特徴とする請求項１記載のプラズマディスプレイパネル。
【請求項３】
前記連結部の前記行方向の幅が、前記先端部との接続部分から前記バス電極との接続部分に向かって段階的に狭くなることを特徴とする請求項１記載のプラズマディスプレイパネル。
【請求項４】
前記連結部の前記行方向の幅が、前記先端部との接続部分から前記バス電極との接続部分に向かって連続的に狭くなることを特徴とする請求項１記載のプラズマディスプレイパネル。
【請求項５】
前記バス電極との接続部分において、前記バス電極の縁部と接する箇所の前記行方向の幅に比して幅広の箇所を、前記バス電極と前記前面基板との間に設けたことを特徴とする請求項１記載のプラズマディスプレイパネル。
【発明の詳細な説明】
【技術分野】
【０００１】
この発明は、プラズマディスプレイパネルのパネル構造に関する。
【背景技術】
【０００２】
近年、大型で薄型のカラー画面表示装置として面放電方式交流型プラズマディスプレイパネルが注目を集めており、その普及が図られている。
【０００３】
図８は、従来の面放電方式交流型プラズマディスプレイパネルを模式的に示す平面図であり、図９は図８のＶ３−Ｖ３線における断面図、図１０は図８のＷ３−Ｗ３線における断面図，図１１は図８のＷ４−Ｗ４線における断面図である。
【０００４】
この図８ないし１１において、プラズマディスプレイパネルの表示面となる前面ガラス基板１側には、その裏面に、複数の行電極対（Ｘ’，Ｙ’）と、この行電極対（Ｘ’，Ｙ’）を被覆する誘電体層２と、この誘電体層２の裏面を被覆するＭｇＯからなる保護層３が順に設けられている。
【０００５】
行電極Ｘ’は、ＩＴＯ等の透明導電膜によって形成された幅広の先端部Ｘａ１’と幅が小さい連結部Ｘａ２’からなるＴ字形の透明電極Ｘａ’と、行方向に延びて透明電極Ｘａ’の連結部Ｘａ２’が接続された金属膜からなるバス電極Ｘｂ’とによって構成されている。
【０００６】
行電極Ｙ’も同様に、ＩＴＯ等の透明導電膜によって形成された幅広の先端部Ｙａ１’と幅が小さい連結部Ｙａ２’からなるＴ字形の透明電極Ｙａ’と、行方向に延びて透明電極Ｙａ’の連結部Ｙａ２’が接続された金属膜からなるバス電極Ｙｂ’とによって構成されている。
【０００７】
そして、この行電極Ｘ’とＹ’は、前面ガラス基板１の列方向（図８の上下方向）に交互に配列されており、バス電極Ｘｂ’とＹｂ’に沿って並列されたそれぞれの透明電極Ｘａ’とＹａ’が互いに対となる相手の行電極側に延びて、幅広の先端部Ｘａ１’とＹａ１’の頂辺が互いに所要の幅の放電ギャップｇ’を介して対向されている。この各行電極対（Ｘ’，Ｙ’）によって、マトリクス表示の１表示ライン（行）Ｌが構成される。
【０００８】
一方、放電ガスが封入された放電空間Ｓ’を介して前面ガラス基板１に対向する背面ガラス基板４には、行電極対Ｘ’，Ｙ’と直交する方向に延びるように配列された複数の列電極Ｄ’と、この列電極Ｄ’間にそれぞれ平行に延びるように形成された帯状の隔壁５と、この隔壁５の側面と列電極Ｄ’を被覆するそれぞれＲ，Ｇ，Ｂに色分けされた蛍光体層６とが設けられている。
【０００９】
そして、各表示ラインＬにおいて、列電極Ｄ’と行電極対（Ｘ’，Ｙ’）が交差する放電空間Ｓ’に、隔壁５によって区画されることにより、放電セルＣ’がそれぞれ画定されている。
【００１０】
このプラズマディスプレイパネルには、図９および１０に示されるように、誘電体層２の背面側のそれぞれ背中合わせに平行に延びるバス電極Ｘｂ’とＹｂ’に対向する部分に、バス電極Ｘｂ’，Ｙｂ’に沿って平行に延びる嵩上げ誘電体層２Ａが形成されている。
【００１１】
この嵩上げ誘電体層２Ａは、誘電体層２の背面から放電空間Ｓ’内に突出するように形成されているものであり、この放電空間Ｓ’内において、互いに対向する透明電極Ｘａ’とＹａ’の間に発生する面放電ｄがバス電極Ｘｂ’およびＹｂ’の側に広がるのを抑制することによって、列方向において互いに隣接する放電セルＣ’間において誤放電が発生するのを防止するように機能するものである。
【００１２】
上記の面放電方式交流型プラズマディスプレイパネルにおける画像の表示は、以下のようにして行われる。
【００１３】
すなわち、先ず、アドレス操作により、各放電セルＣ‘において行電極対（Ｘ’，Ｙ’）と列電極Ｄ’との間で選択的に放電（対向放電）が行われ、点灯セル（誘電体層２に壁電荷が形成された放電セル）と消灯セル（誘電体層２に壁電荷が形成されなかった放電セル）とが、表示する画像に対応してパネル上に分布される。
【００１４】
そして、このアドレス操作の後、全表示ラインＬにおいて一斉に、行電極対（Ｘ’，Ｙ’）に対して交互に放電維持パルスが印加され、点灯セルにおいて、この放電維持パルスが印加される毎に、この点灯セルを挟むように位置する隣接する一対の嵩上げ誘電体層２Ａの間の空間内において面放電が発生されて、この面放電により発生する紫外線により、放電空間Ｓ’内のＲ，Ｇ，Ｂの蛍光体層６がそれぞれ励起されて発光することによって、表示画像が形成される。
【００１５】
上記のように、従来のＰＤＰは、バス電極Ｘｂ’，Ｙｂ’と対向する部分において行方向に延びるように形成された嵩上げ誘電体層２Ａにより、列方向への放電の広がりを抑制して、列方向において互いに隣接する放電セルＣ’間での放電の干渉を防止するようになっている。
【発明の開示】
【発明が解決しようとする課題】
【００１６】
しかしながら、上記従来のＰＤＰにおいて、嵩上げ誘電体層２Ａは、ガラスペーストが誘電体層２の背面側にスクリーン印刷され、乾燥の後さらに焼成されることによって形成されるので、そのエッジ部２Ａａがだれてなだらかな斜面になってしまい、それぞれ透明電極Ｘａ’，Ｙａ’の連結部Ｘａ２’，Ｙａ２’のバス電極Ｘｂ’，Ｙｂ’に接続されている側の端部Ｘａ２’’，Ｙａ２’’にオーバーラップ（図９のｎ部分）してしまうことになる。
【００１７】
このため、それぞれ透明電極Ｘａ’，Ｙａ’の連結部Ｘａ２’，Ｙａ２’の端部Ｘａ２’’，Ｙａ２’’上における画像形成時の放電が弱くなり、これによって、この部分における発光効率が低下して、放電セルＣ全体の発光効率が悪化してしまうという問題がある。
【００１８】
また、画像形成時に放電セルＣ内で生じた面放電が、嵩上げ誘電体層２Ａのなだらかなエッジ部２Ａａを越えて列方向に隣接する他の放電セルＣに広がって、この列方向に隣接する二つの放電セルＣ間において放電の干渉が発生する虞があり、このような放電の干渉が生じると、点灯すべき放電セルＣが消灯したり、消灯すべき放電セルＣが点灯したりして画像が乱れてしまうという問題を有している。
【００１９】
この発明は、上記のような従来のプラズマディスプレイパネルの有している問題点を解決するためになされたものである。すなわち、この発明は、各放電セルにおける発光効率を向上させることが出来るとともに、隣接する放電セル間における放電の干渉を有効に防止して、安定した画像の表示を行うことが出来るプラズマディスプレイパネルを提供することを目的としている。
【課題を解決するための手段】
【００２０】
請求項１に記載のプラズマディスプレイパネルは、前面基板の背面側に行方向に延び列方向に並設されてそれぞれ表示ラインを形成する複数の行電極対と、前記前面基板と放電空間を介して対向する背面基板に前記列方向に延び前記行方向に並設された複数の列電極が設けられ、前記列電極と前記行電極対とが交差する位置の放電空間に単位発光領域が形成されるプラズマディスプレイパネルにおいて、前記行電極対のそれぞれの行電極が、単位発光領域の縁部に沿って前記行方向に延びるバス電極と前記バス電極に接続されて各単位発光領域ごとに対になっている他方の前記行電極の方向に延びる透明電極を有し、前記透明電極がそれぞれ対となる前記他方の行電極の透明電極と所定幅の放電ギャップを介して対向されており、前記行電極のそれぞれの前記透明電極が、前記放電ギャップを介して他方の前記透明電極と対向する前記行方向に幅広の先端部と、前記先端部よりも前記行方向に幅狭で前記先端部と前記バス電極とを連結する連結部からなり、前記連結部の前記行方向の幅が、前記先端部との接続部分に比して、前記バス電極との接続部分が狭いことを特徴とする。
【００２１】
請求項２に記載のプラズマディスプレイパネルは、請求項１記載のプラズマディスプレイパネルにおいて、前記透明電極が略Ｔ字形状に成形されることを特徴とする。
【００２２】
請求項３に記載のプラズマディスプレイパネルは、請求項１記載のプラズマディスプレイパネルにおいて、前記連結部の前記行方向の幅が、前記先端部との接続部分から前記バス電極との接続部分に向かって段階的に狭くなることを特徴とする。
【００２３】
請求項４に記載のプラズマディスプレイパネルは、請求項１記載のプラズマディスプレイパネルにおいて、前記連結部の前記行方向の幅が、前記先端部との接続部分から前記バス電極との接続部分に向かって連続的に狭くなることを特徴とする。
【００２４】
請求項５に記載のプラズマディスプレイパネルは、請求項１記載のプラズマディスプレイパネルにおいて、前記バス電極との接続部分において、前記バス電極の縁部と接する箇所の前記行方向の幅に比して幅広の箇所を、前記バス電極と前記前面基板との間に設けたことを特徴とする。
【発明を実施するための最良の形態】
【００２５】
本発明によれば、画像形成のための放電が各単位発光領域の中央部で主に行われるようになるので、列方向に隣接する他の単位発光領域への放電の広がりが抑制されて誤放電の発生が防止されるようになる。
【実施例】
【００２６】
以下、この発明の最も好適と思われる実施の形態について、図面を参照しながら詳細に説明を行う。
【００２７】
図１ないし５は、この発明によるプラズマディスプレイパネル（以下、ＰＤＰという）の実施形態の一例を示すものであって、図１はＰＤＰの行電極対と隔壁との関係を模式的に表す平面図であり、図２は図１のＶ１−Ｖ１線における断面図、図３は図１のＶ２−Ｖ２線における断面図、図４は図１のＷ１−Ｗ１線における断面図、図５は図１のＷ２−Ｗ２線における断面図である。
【００２８】
この図１ないし５において、表示面である前面ガラス基板１０の背面に、複数の行電極対（Ｘ，Ｙ）が、前面ガラス基板１０の行方向（図１の左右方向）に延びるように平行に配列されている。
【００２９】
行電極Ｘは、ＩＴＯ等の透明導電膜によって形成された透明電極Ｘａとこの透明電極Ｘａが接続された行方向に延びるバス電極Ｘｂによって構成されている。そして、透明電極Ｘａは、幅広の先端部Ｘａ１と、この先端部Ｘａ１の中央部から直交する方向に延びる幅が小さい連結部Ｘａ２と、この連結部Ｘａ２と同軸状にかつこの連結部Ｘａ２よりも幅が小さくなるように形成された基端部Ｘａ３とからなり、全体として略Ｔ字形に成形されていて、基端部Ｘａ３がバス電極Ｘｂに接続されている。
【００３０】
この透明電極Ｘａの基端部Ｘａ３の軸方向の長さは、後述するように、嵩上げ誘電体層と透明電極Ｘａがオーバラップする長さとほぼ等しくなるよう設定されている。行電極Ｙも同様に、ＩＴＯ等の透明導電膜によって形成された透明電極Ｙａとこの透明電極Ｙａが接続された行方向に延びるバス電極Ｙｂによって構成されている。
【００３１】
そして、透明電極Ｙａは、幅広の先端部Ｙａ１と、この先端部Ｙａ１の中央部から直交する方向に延びる幅が小さい連結部Ｙａ２と、この連結部Ｙａ２と同軸状にかつこの連結部Ｙａ２よりも幅が小さくなるように形成された基端部Ｙａ３とからなり、全体として略Ｔ字形に成形されていて、基端部Ｙａ３がバス電極Ｙｂに接続されている。
【００３２】
この透明電極Ｙａの基端部Ｙａ３の軸方向の長さは、後述するように、嵩上げ誘電体層と透明電極Ｙａがオーバラップする長さとほぼ等しくなるよう設定されている。
【００３３】
この行電極ＸとＹは、前面ガラス基板１０の列方向（図１の上下方向）に交互に配列されており、バス電極ＸｂとＹｂに沿って並列されたそれぞれの透明電極ＸａとＹａが互いに対となる相手の行電極側に延びて、幅広の先端部Ｘａ１とＹａ１の頂辺が互いに所要の幅の放電ギャップｇを介して対向されている。
【００３４】
この各行電極対（Ｘ，Ｙ）によって、マトリクス表示の１表示ライン（行）Ｌが構成される。
【００３５】
バス電極Ｘｂ，Ｙｂは、それぞれ表示面側の黒色導電層Ｘｂ１，Ｙｂ１と背面側の主導電層Ｘｂ２，Ｙｂ２の二層構造に形成されている。
【００３６】
前面ガラス基板１０の背面には、さらに、行電極対（Ｘ，Ｙ）を被覆するように誘電体層１１が形成されており、この誘電体層１１の背面には、互いに隣接する行電極対（Ｘ，Ｙ）の隣り合うバス電極ＸｂおよびＹｂと対向する位置及び隣り合うバス電極Ｘｂとバス電極Ｙｂの間の領域と対向する位置に、誘電体層１１の背面側に突出する嵩上げ誘電体層１１Ａが、バス電極Ｘｂ，Ｙｂと平行に延びるように形成されている。
【００３７】
この嵩上げ誘電体層１１Ａは、ガラスペーストが誘電体層２の背面側にスクリーン印刷され、乾燥の後さらに焼成されることによって形成される。
【００３８】
誘電体層１１および嵩上げ誘電体層１１Ａの背面側には、これらを被覆するＭｇＯからなる保護層１２が形成されている。一方、前面ガラス基板１０と平行に配置された背面ガラス基板１３の表示側の面上には、列電極Ｄが、各行電極対（Ｘ，Ｙ）の互いに対となった透明電極ＸａおよびＹａに対向する位置において行電極対（Ｘ，Ｙ）と直交する方向（列方向）に延びるように、互いに所定の間隔を開けて平行に配列されている。
【００３９】
背面ガラス基板１３の表示側の面上には、さらに、列電極Ｄを被覆する白色の誘電体層１４が形成され、この誘電体層１４上に、隔壁１５が形成されている。隔壁１５は、互いに平行に配列された各列電極Ｄの間の位置において列方向に延びる縦壁１５ａと、嵩上げ誘電体層１１Ａに対向する位置において行方向に延びる横壁１５ｂとによって井桁状に形成されている。
【００４０】
そして、この隔壁１５によって、前面ガラス基板１０と背面ガラス基板１３の間の放電空間Ｓが、各行電極対（Ｘ，Ｙ）において対となった透明電極ＸａとＹａに対向する部分毎に升目状に区画されて、それぞれ方形の放電セルＣが形成されている。
【００４１】
この隔壁１５は、その表示面側に形成された黒色層（光吸収層）１５’と背面側の白色層（光反射層）１５’’の二層構造に形成されており、放電セルＣに面する側壁面がほぼ白色（すなわち、光反射層）になるように構成されている。
【００４２】
この隔壁１５の横壁１５ｂの表示側の面には嵩上げ誘電体層１１Ａが保護層１２を介して当接されていて、列方向に並んでいる各放電セルＣ間が横壁１５ｂと嵩上げ誘電体層１１Ａによって閉塞されている。
【００４３】
また、隔壁１５の縦壁１５ａと誘電体層１１を被覆する保護層１２との間には、隙間ｒが形成されている。
【００４４】
放電セルＣに面する隔壁１５の縦壁１５ａおよび横壁１５ｂの側面と誘電体層１４の表面には、これらの五つの面を全て覆うように蛍光体層１６がそれぞれ形成されている。この蛍光体層１６の色は、各放電セルＣ毎にＲ，Ｇ，Ｂの色が行方向に順に並ぶように設定される。そして、各放電セルＣの放電空間内には、放電ガスが封入されている。
【００４５】
上記のＰＤＰは、行電極対（Ｘ，Ｙ）がそれぞれマトリクス表示画面の１表示ライン（行）Ｌを構成し、また、井桁状の隔壁１５によって放電空間Ｓが升目状に区画されることにより、それぞれ方形の放電セルＣが形成されている。
【００４６】
このＰＤＰにおける画像表示は、従来のＰＤＰと同様に行われる。
【００４７】
すなわち、先ず、アドレス操作により、各放電セルＣにおいて行電極対（Ｘ，Ｙ）と列電極Ｄとの間で選択的に放電が行われ、全表示ラインＬに点灯セル（誘電体層１１に壁電荷が形成された放電セル）と消灯セル（誘電体層１１に壁電荷が形成されなかった放電セル）とが、表示する画像に対応して、パネル上に分布される。
【００４８】
このアドレス操作の後、全表示ラインＬにおいて一斉に、行電極対（Ｘ，Ｙ）に対して交互に放電維持パルスが印加され、この放電維持パルスが印加される毎に、各点灯セルにおいて面放電が発生される。
【００４９】
以上のようにして、点灯セルにおける面放電により紫外線が発生され、放電空間Ｓ内のＲ，Ｇ，Ｂの各蛍光体層１６がそれぞれ励起されて発光することにより、表示画面が形成される。
【００５０】
そして、上記ＰＤＰは、誘電体層１１に形成された嵩上げ誘電体層１１Ａと隔壁１５の横壁１５ｂの表示側の面とが嵩上げ誘電体層１１Ａを被覆する保護層１２を介して当接されて、列方向において隣接する放電セルＣ間を閉塞していることにより、この列方向において隣接する放電セルＣ間において放電の干渉が生じるのが防止される。
【００５１】
また、各放電セルＣへの放電ガスの封入や放電セルＣからの放電ガスの排気は、縦壁１５ａと誘電体層１１を被覆する保護層１２との間に形成された隙間ｒを通して行われ、さらに、行方向において隣接する放電セルＣ間において連鎖的に放電を生じさせるプライミング効果も、この隙間ｒを介して確保される。
【００５２】
このＰＤＰにおいて、嵩上げ誘電体層１１Ａは、従来と同様にガラスペーストが誘電体層２の背面側にスクリーン印刷されることによって形成されるために、そのエッジ部１１Ａａがだれてなだらかな斜面になっており、このエッジ部１１Ａａの放電セルＣ内に張り出している部分ｍと透明電極Ｘａ，Ｙａの基端部Ｘａ３，Ｙａ３とが、それぞれオーバラップしている。
【００５３】
ここで、この基端部Ｘａ３，Ｙａ３の長さは、前述したように、嵩上げ誘電体層１１Ａのエッジ部１１Ａａと透明電極Ｘａ，Ｙａがオーバラップしている長さとほぼ同じ長さになるように設定されており、この透明電極Ｘａ，Ｙａの基端部Ｘａ３，Ｙａ３のそれぞれの幅が連結部Ｘａ２，Ｙａ２の幅よりもさらに小さくなるように形成されていることによって、画像形成時に発生される面放電の基端部Ｘａ３，Ｙａ３部分での放電が弱められ、主として透明電極Ｘａの先端部Ｘａ１および連結部Ｘａ２と透明電極Ｙａの先端部Ｙａ１および連結部Ｙａ２との間において行われるようになる。
【００５４】
従って、画像形成時の面放電による発光効率が改善されるとともに、面放電が放電セルＣの中央部で主に行われるようになるので、嵩上げ誘電体層１１Ａのエッジ部１１Ａａを越えて列方向に隣接する他の放電セルＣへの放電の広がりを抑制して誤放電の発生を防止することが出来るようになる。
【００５５】
図６は、この発明によるプラズマディスプレイパネルの実施形態における第２の例を示す平面図である。
【００５６】
この第２の例におけるＰＤＰの行電極Ｘ１は、ＩＴＯ等の透明導電膜によって形成された透明電極Ｘ１ａとこの透明電極Ｘ１ａが接続された行方向に延びるバス電極Ｘ１ｂによって構成されている。
【００５７】
そして、透明電極Ｘ１ａは、幅広の先端部Ｘ１ａ’とこの先端部Ｘ１ａ’の中央部から直交する方向に延びる連結部Ｘ１ａ’’とによって略Ｔ字形に成形されていて、その基端部がバス電極Ｘ１ｂに接続されている。
【００５８】
そして、この透明電極Ｘ１ａの連結部Ｘ１ａ’’は、先端部Ｘ１ａ’側からバス電極Ｘ１ｂに接続される基端側に行くほどその幅が小さくなるように成形されている。
【００５９】
行電極Ｙ１も同様に、ＩＴＯ等の透明導電膜によって形成された透明電極Ｙ１ａとこの透明電極Ｙ１ａが接続された行方向に延びるバス電極Ｙ１ｂによって構成されている。
【００６０】
そして、透明電極Ｙ１ａは、幅広の先端部Ｙ１ａ’とこの先端部Ｙ１ａ’の中央部から直交する方向に延びる連結部Ｙ１ａ’’とによって略Ｔ字形に成形されていて、その基端部がバス電極Ｙ１ｂに接続されている。
【００６１】
そして、この透明電極Ｙ１ａの連結部Ｙ１ａ’’は、先端部Ｙ１ａ’側からバス電極Ｙ１ｂに接続される基端側に行くほどその幅が小さくなるように成形されている。
【００６２】
他の部分の構成は、前述した第１の例のＰＤＰと同様であり、同様の符号が付されている。
【００６３】
この第２の例におけるＰＤＰも第１の例の場合と同様に、嵩上げ誘電体層のエッジ部がだれてなだらかな斜面になっており（図２参照）、このエッジ部の放電セルＣ内に張り出している部分ｍと透明電極Ｘ１ａ，Ｙ１ａの連結部Ｘ１ａ’’，Ｙ１ａ’’とがそれぞれオーバラップしているが、この透明電極Ｘ１ａ，Ｙ１ａの連結部Ｘ１ａ’’，Ｙ１ａ’’のそれぞれバス電極Ｘ１ｂ，Ｙ１ｂに接続されている基端側の幅が先端部Ｘ１ａ’，Ｙ１ａ’側の部分の幅よりも小さくなっていることによって、連結部Ｘ１ａ’’，Ｙ１ａ’’の嵩上げ誘電体層とオーバラップしている基端部分での画像形成時における放電が弱められ、主として透明電極Ｘ１ａの先端部Ｘ１ａ’および連結部Ｘ１ａ’’の先端側の部分と透明電極Ｙ１ａの先端部Ｙ１ａ’および連結部Ｙ１ａ’’の先端側の部分との間において行われるようになる。
【００６４】
従って、画像形成時の面放電による発光効率が改善されるとともに、面放電が放電セルＣの中央部で主に行われるようになるので、嵩上げ誘電体層のエッジ部を越えて列方向に隣接する他の放電セルＣへの放電の広がりが抑制されて誤放電の発生が防止される。
【００６５】
図７は、この発明によるプラズマディスプレイパネルの実施形態における第３の例を示す平面図である。
【００６６】
この第３の例におけるＰＤＰの行電極Ｘの透明電極Ｘａは、第１の例の場合と同様に、幅広の先端部Ｘａ１と、この先端部Ｘａ１の中央部から直交する方向に延びる幅が小さい連結部Ｘａ２と、この連結部Ｘａ２と同軸状にかつこの連結部Ｘａ２よりも幅が小さくなるように形成された基端部Ｘａ３とからなり、全体として略Ｔ字形に成形されていて、基端部Ｘａ３がバス電極Ｘｂに接続されている。 そして、基端部Ｘａ３の軸方向の長さが、嵩上げ誘電体層（図２参照）と透明電極Ｘａがオーバラップする長さとほぼ等しくなるよう設定されている。
【００６７】
透明電極Ｘａには、上記構成に加えてさらに、基端部Ｘａ３のバス電極Ｘｂに接続されている部分に、基端部Ｘａ３よりも幅広の拡幅部Ｘａ４が一体成形されている。
【００６８】
行電極Ｙの透明電極Ｙａも同様に、幅広の先端部Ｙａ１と、この先端部Ｙａ１の中央部から直交する方向に延びる幅が小さい連結部Ｙａ２と、この連結部Ｙａ２と同軸状にかつこの連結部Ｙａ２よりも幅が小さくなるように形成された基端部Ｙａ３とからなり、全体として略Ｔ字形に成形されていて、基端部Ｙａ３がバス電極Ｙｂに接続されており、基端部Ｙａ３の軸方向の長さが、嵩上げ誘電体層（図２参照）と透明電極Ｙａがオーバラップする長さとほぼ等しくなるよう設定されている。
【００６９】
そして、透明電極Ｙａには、上記構成に加えて、さらに、基端部Ｙａ３のバス電極Ｙｂに接続されている部分に、基端部Ｙａ３よりも幅広の拡幅部Ｙａ４が一体成形されている。他の部分の構成は、第１の例と同様であり、同一の符号が付されている。
【００７０】
この第３の例におけるＰＤＰにおいても、第１の例のＰＤＰと同様に、画像形成時の面放電による発光効率が改善されるとともに、列方向に隣接する他の放電セルへの放電の広がりが抑制されて誤放電の発生が防止される。
【００７１】
そして、この第３の例におけるＰＤＰは、透明電極Ｘａ，Ｙａのそれぞれバス電極Ｘｂ，Ｙｂに接続されている部分に形成された拡幅部Ｘａ４，Ｙａ４によって、透明電極Ｘａ，Ｙａとバス電極Ｘｂ，Ｙｂの剥離が防止される。
【００７２】
なお、上記の各例においては、放電セルを区画する隔壁が縦壁と横壁を備えていて放電空間が升目状に区画されているＰＤＰについて説明を行ったが、この各発明は、図８に示されるような隔壁が列方向に延びる帯状に形成されているＰＤＰについても同様に適用することが可能である。
【図面の簡単な説明】
【００７３】
【図１】この発明の実施形態における第１の例を模式的に表す平面図である
【図２】図１のＶ１−Ｖ１線における断面図である。
【図３】図１のＶ２−Ｖ２線における断面図である。
【図４】図１のＷ１−Ｗ１線における断面図である。
【図５】図１のＷ２−Ｗ２線における断面図である。
【図６】この発明の実施形態における第２の例を模式的に表す平面図である。
【図７】この発明の実施形態における第３の例を模式的に表す平面図である。
【図８】従来のプラズマディスプレイパネルを模式的に示す平面図である。
【図９】図８のＶ３−Ｖ３線における断面図である。
【図１０】図８のＷ３−Ｗ３線における断面図である。
【図１１】図８のＷ４−Ｗ４線における断面図である。
【符号の説明】
【００７４】
１０  前面ガラス基板（前面基板）
１１  誘電体層
１２  保護層
１３  背面ガラス基板（背面基板）
１４  誘電体層
１５  隔壁
１５ａ  縦壁
１５ｂ  横壁
１６  蛍光体層
Ｘ，Ｘ１  行電極
Ｙ，Ｙ１  行電極
Ｘａ，Ｘ１ａ，Ｙａ，Ｙａ１  透明電極
Ｘａ１，Ｙａ１  幅広の先端部
Ｘａ２，Ｙａ２  連結部
Ｘａ３，Ｙａ３  基端部
Ｘａ４，Ｙａ４  拡幅部（面積の拡大部分）
Ｘ１ａ’，Ｙ１ａ’  幅広の先端部
Ｘ１ａ’’，Ｙ１ａ’’  連結部
Ｘｂ，Ｙｂ  バス電極
Ｄ   列電極
Ｓ   放電空間
Ｃ   放電セル（単位発光領域）
ｇ   ギャップ
【図１】
2006012864.tif 000003
【図２】
2006012864.tif 000004
【図３】
2006012864.tif 000005
【図４】
2006012864.tif 000006
【図５】
2006012864.tif 000007
【図６】
2006012864.tif 000008
【図７】
2006012864.tif 000009
【図８】
2006012864.tif 000010
【図９】
2006012864.tif 000011
【図１０】
2006012864.tif 000012
【図１１】
2006012864.tif 000013